(57)【要約】【課題】電池用搬送治具に関するものであり、１つの扁平形電池用搬送治具内に複数の電池構成部品を分離しながら収納して搬送することができ、特にコイン形電池において非水電解液を電極体に含浸させるために長い時間放置しても揮発性高い非水電解液の蒸発を搬送しながらも抑制できる偏平形電池用搬送治具を提供するものである。【解決手段】非磁性体材料からなる本体１の内部に磁性体からなる電池や電池構成部品を収納できる円筒形状した中空部１５を備え、中空部１５の内側面の一横断面上に複数個の磁石２を配置した吸着部１ａ，１ｂを本体１の中心軸方向に異なる位置に少なくとも２段備えて、その吸着部１ａ，１ｂに電池構成部品を磁気吸着して保持できる扁平形電池用搬送治具にて電池構成部品を搬送する。【選択図】図１
2008103097.tif 000002
【特許請求の範囲】
【請求項１】
非磁性体材料からなる中空部を備える本体で内部に磁性体からなる電池や電池構成部品を収納して搬送する偏平形電池用の搬送治具であって、前記中空部の形状が円筒形で且つ、中空部の内側面の一横断面上に複数個の磁石を配置した吸着部を軸方向に異なる位置に少なくとも２段備えたことを特徴とする偏平形電池用搬送治具。
【請求項２】
前記吸着部は、中空部を備える本体の中心点周りに等角度で交互にＮ極、Ｓ極と複数個の磁石を配置し構成したことを特徴とする請求項１記載の偏平形電池用搬送治具。
【請求項３】
前記吸着部に備えた磁石の配置は、全ての段が同極となるように構成したことを特徴とする請求項２記載の偏平形電池用搬送治具。
【請求項４】
前記吸着部に備えた磁石が中空部との間に隔壁部を設けたことを特徴とする請求項２記載の偏平形電池用搬送治具。
【請求項５】
非磁性体材料からなる中空部を備える本体の軸方向に設けた１段目の吸着部に磁性体材料からなる電池構成部品を吸着し、２段目の吸着部に別の磁性体材料からなる電池構成部品を吸着して搬送するように構成したことを特徴とする請求項１に記載の偏平形電池用搬送治具。
【請求項６】
非磁性体材料からなる中空部を備える本体の軸方向に設けた１段目の吸着部に発電要素を収納した電池構成部品を吸着し、２段目の吸着部に偏平形電池の皿形状をした電池構成部品を吸着して搬送するように構成したことを特徴とする請求項５に記載の偏平形電池用搬送治具。
【請求項７】
非磁性体材料からなる中空部の形状が円筒形で且つ、中空部の内側面に複数個の磁石を配置した吸着部を２段備えた本体の外周面を円筒形にしたことを特徴とする請求項１記載の偏平形電池用搬送治具。
【請求項８】
非磁性体材料からなる中空部の形状が円筒形で且つ、中空部の内側面に複数個の磁石を配置した吸着部を２段備えた本体の外周面を多角形にしたことを特徴とする請求項１記載の偏平形電池用搬送治具。
【請求項９】
前記本体の多角形である外周面の頂点をＲ形状に構成したことを特徴とする請求項８記載の偏平形電池用搬送治具。
【請求項１０】
前記円筒形形状をした中空部の開口部が滑らかなＲ形状または面取り形状を有したことを特徴とする請求項１記載の偏平形電池用搬送治具。
【請求項１１】
磁石を配置した吸着部を具備した本体が上下に分離することを特徴とする請求項１記載の偏平形電池用搬送治具。
【発明の詳細な説明】
【技術分野】
【０００１】
本発明は、円筒形電池などの製造工程における磁性体からなる電池構成部品を搬送するための搬送治具を、特に偏平形電池の搬送を効率よく搬送できるよう改良した扁平形電池の搬送治具に関するものである。
【背景技術】
【０００２】
近年、メモリのバックアップや通信機器、時計等の駆動電源として、扁平形電池に代表されるコイン形電池あるいはボタン形電池等の円盤状で厚みの薄い電池が用いられている。これらの電子機器の主電源等として厳しい環境に耐えうる１０年間保証という長期間の信頼性を保つことが可能なコイン形電池の需要が拡大する傾向にあり、コイン形電池においても製造過程で安定したばらつきの少ない高品質なものづくりが要求されている。特に電解液の注液量は、電池の長期間の保存性を確保するための保存特性を左右する重要な要素であり、バラツキが少ない注液量の厳しい精度としての管理基準が要求されている。  コイン形電池は、負極体と正極体とセパレータとの積層構造からなる電極体を収納した上ケースに非水電解液を注液した後、上ケースに下ケースを被せ、下ケースの開口部をかしめ封口して製造される。
【０００３】
偏平形電池の搬送は、図８（ａ）に示す搬送治具本体７１で内部にかしめ封口をした偏平形電池７０を保持する電池用搬送治具により行われており、図８（ｂ）に示す搬送治具本体７１の中央部にある円筒形の内側面には、搬送治具本体７１の横断面上に複数個の磁石７２が備えられており、その磁束分布７３が搬送治具本体７１の中空部分の中心７４に対して点対称になるように各磁石７２を配置して、磁石７２により偏平形電池７０を保持して搬送する方法が提案されている（例えば、特許文献１参照）。
【特許文献１】特開平１０−６４４９６号公報
【発明の開示】
【発明が解決しようとする課題】
【０００４】
しかしながら、上述した特許文献に示される従来技術では、封口後の電池電池構成部品を単体でしか搬送できず、１ヶの電池用搬送治具に同時に電池構成部品を収納して搬送することは困難であり、電池構成部品１つに対して搬送治具が１つ必要になることは生産性の向上の妨げになる他、特にコイン形電池では上ケースに下ケースを被せ下ケースの開口部をかしめ封口する前に、上ケースへ非水電解液を注液し高密度な活物質からなる電極体に非水電解液を含浸させるには長い時間が必要で、非水電解液を含浸させるため長い時間放置すると非水電解液は揮発性が高く、非水電解液の気化により非水電解液が蒸発し非水電解液量のバラツキや成分変化を招く。そこで非水電解液の蒸発を抑制するためには、直ぐに上ケースを覆うようにした下ケースを嵌め合わせる必要がある。
【０００５】
しかし、非水電解液が十分に電極体に含浸されないうちに、上ケースと下ケースを嵌め合わせると含浸されていない非水電解液が上ケース外へ飛散して、コイン形電池の保存特性の要因である非水電解液の液量バラツキやコイン形電池の外観上の汚れが生じる。従来技術の電池搬送治具治具では非水電解液を注液した上ケースを搬送する際に非水電解液が蒸発してしまい、また上ケースに下ケースを被せることで電極体にまだ含浸されていない非水電解液が上ケースより外に飛散してしまう。
【０００６】
本発明は上記従来の課題を鑑みて成されたもので、１つの搬送治具内に複数の電池構成部品を分離しながら収納して搬送することができ、特にコイン形電池での非水電解液を収納した上ケースに下ケースを分離しながら搬送できる。１つの搬送治具内で非水電解液を
収納した上ケースに下ケースで覆うことができ、非水電解液を電極体に含浸させるために長い時間放置しても揮発性高い非水電解液の蒸発を抑制できる偏平形電池用搬送治具を提供することを目的としている。
【課題を解決するための手段】
【０００７】
上記目的を達成するために本発明は、非磁性体材料からなる中空部を備える本体で内部に磁性体からなる電池や電池構成部品を収納して搬送する偏平形電池用の搬送治具であって、中空部の形状が円筒形で且つ、中空部の内側面の一横断面上に複数個の磁石を配置した吸着部を軸方向に異なる位置に少なくとも２段備えたことを特徴としている。
【発明の効果】
【０００８】
本発明によれば、扁平形電池用搬送治具の本体に備えた中空部の内側面の一横断面上には磁石が配置した吸着部を軸方向に異なる位置に少なくとも２段備えることにより、１つの搬送治具内に複数の電池構成部品を分離しながら保持して搬送することができる。さらに１段目の吸着部に電極体に非水電解液を注液した発電要素を収納した上ケースを保持し、上ケースを覆うように下ケースを２段目の吸着部に上ケースと分離した状態で保持することにより、非水電解液の蒸発を抑制しながら電池構成部品を搬送することが可能となる。さらに、１つの偏平形電池用搬送治具内の電極体に非水電解液を注液した発電要素を収納した上ケースに下ケースを覆い被せた状態で上ケースに収納した電極体に非水電解液を含浸させながら搬送することが可能となる。
【発明を実施するための最良の形態】
【０００９】
本発明の第１の発明においては、非磁性体材料からなる中空部を備える本体で内部に磁性体からなる電池や電池構成部品を収納して搬送する偏平形電池用の搬送治具であって、中空部の形状が円筒形で且つ、中空部の内側面の一横断面上に複数個の磁石を配置した吸着部を軸方向に異なる位置に少なくとも２段に備えたことにより、１つの偏平形電池用搬送治具内に複数の電池や電池構成部品を重なることなく分離しながらも保持して搬送することが可能となり、偏平形電池用搬送治具の１段目の吸着部に電極体に非水電解液を注液した電池発電要素を収納した上ケースを保持し、上ケースを覆うように下ケースを２段目の吸着部に上ケースと分離した状態で保持することにより非水電解液の蒸発を抑制し、非水電解液を電極体に含浸させながら電池構成部品を搬送することが可能となる。
【００１０】
本発明の第２の発明においては、吸着部が中空部を備える本体の中心点周りに等角度で交互にＮ極、Ｓ極と複数個の磁石を配置し構成したことにより、電池構成部品や電池を強い着磁力で保持することが可能となり、搬送途中に電池構成部品や電池の脱落や損傷なく搬送することが可能となる。
【００１１】
本発明の第３の発明においては、吸着部に備えた磁石の配置が全ての段が同極となるように構成したことにより、上段の吸着部で保持された電池構成部品が同極のため下段の吸着部に吸い寄せられることなく、定位置に保持することが可能となる。
【００１２】
本発明の第４の発明においては、吸着部に備えた磁石が中空部との間に隔壁部を設けたことにより、吸着部で保持された電池構成部品や電池の外周部分と吸着部との接触部分が直接に磁石と触れることがなく、電池構成部品や電池の外周部分に磁石によるキズ等の損傷を与えることがない。
【００１３】
本発明の第５の発明においては、非磁性体材料からなる中空部を備える本体の軸方向に設けた１段目の吸着部に磁性体材料からなる電池構成部品を吸着し、２段目の吸着部に別の電池構成部品を吸着して搬送するように構成したことにより、１つの偏平形電池用搬送治具内に２ヶの電池や電池構成部品を分離して保持させながら搬送することが可能となり
、生産性の向上が図れる。
【００１４】
本発明の第６の発明においては、非磁性体材料からなる中空部を備える本体の軸方向に設けた１段目の吸着部に発電要素を収納した電池構成部品を吸着し、２段目の吸着部に偏平形電池の皿形状をした電池構成部品を吸着して搬送するように構成したことにより、下ケースが蓋となり、上ケース内に注液された非水電解液の蒸発を抑制することが可能となる。
【００１５】
本発明の第７の発明においては、非磁性体材料からなる中空部の形状が円筒形で且つ、中空部の内側面に複数個の磁石を配置した吸着部を２段備えた本体の外周面を円筒形にしたことにより、扁平形電池用搬送治具の搬送性が富み、生産性の向上が図れる。
【００１６】
本発明の第８の発明においては、非磁性体材料からなる中空部の形状が円筒形で且つ、中空部の内側面に複数個の磁石を配置した吸着部を２段備えた本体の外周面を多角形にしたことにより、本体の外周面の平面部で位置決めすることが容易に行なわれ生産性の向上が図れる。
【００１７】
本発明の第９の発明においては、本体の多角形である外周面の頂点をＲ形状に構成したことにより、扁平電池用搬送治具の搬送途中に引っかかることがなく搬送性が富み、生産性の向上が図れる。
【００１８】
本発明の第１０の発明においては、円筒形形状をした中空部の開口部が滑らかなＲ形状または面取り形状を有したことにより、中空部に電池構成部品や電池を収納する際、開口部のＲ形状または面取り形状が誘いとなり速やかに中空部に電池構成部品や電池を収納することが可能となる。
【００１９】
本発明の第１１の発明においては、磁石を配置した吸着部を具備した本体が上下に分離することにより、偏平形電池用搬送治具を分離させて単体のみで搬送ができ、電池構成部品を合体する際に偏平形電池用搬送治具の単体同士を合体させることで電池構成部品同士の合体の促進が可能となる。
【００２０】
以下本発明の実施の形態について図面を参照しながら説明する。図１は、本発明の偏平形電池用搬送治具を示す。偏平形電池用搬送治具４の本体１の中心に円筒形をした中空部１５を設け、本体1の外周面１６は円筒形をしている。また、中空部１５の内側面は本体の中心軸３を中心として円周面上に外周面１６から等角度で中空部１５に向け放射状に穴を設け、円柱形の形をした磁石２が本体の中心軸３と磁石の中心軸１７とが垂直になるようにし、且つ隣り合う磁石２の極がＳ極、Ｎ極と異極となるように挿入して接着剤で固定した吸着部１ａ、１ｂが設けてある。そのことで隣の磁石２との間に磁力線が走る構造となり、この磁束分布によって磁性体からなる電池や電池構成部品を傾くことなく偏平形電池用搬送治具４の搬送する面に対して水平に保持が可能となる。
【００２１】
次いで、偏平形電池用搬送治具４は磁石２を中空部１５の内側面に配置した1段目の吸着部１ａと同様の形態を備えた２段目の吸着部１ｂとが上下２段で構成され、1段目の吸着部１ａと２段目の吸着部１ｂの磁石２は同極となるよう配置されている。これにより１段目の吸着部１ａに保持された電池構成部品が２段目の吸着部１ｂに磁力により引き寄せられることがなく、その場所に保持される。
【００２２】
また、図２に示すように偏平形電池用治具４の１段目の吸着部１ａに上ケース１１を保持させ、２段目の吸着部１ｂには下ケース６を保持して搬送する。さらに、本体１の中空部１５の開口部には面取り部１８を備え、扁平形電池の下ケース６や上ケース１１等の電
池構成部品や電池を挿入する際に中空部１５の開口部に引っかかることなく挿入できる。なお、面取り部１５の形状は滑らかなＲ形状でも挿入する際の効果は大きい。
【００２３】
また、磁石２は円柱形に限定されることなく立方体や多角柱などのその他の形状の磁石も使用可能であり、挿入して接着した８個の磁石２はこれらに限定されることなく、磁石２の数は増減させても良い。さらに、偏平形電池用搬送治具４の中空部１５の内側面と磁石２との間には隔壁部１９を設け、電池構成部品が磁石２と直接触れない構成となっており、磁石２により電池構成部品が傷付かないよう保護を行なっている。
【００２４】
また、図１には１段目の吸着部と２段目の吸着部ｂが２段重ね合わせた構成を示すが、これらに限定されることなく吸着部を本体の中心軸３の方向に２段以上に重ね合わせても良い。さらに本体１の外周面１６を円筒形に限定されることなく、図３に示すように四角柱や多角柱（図示せず）であっても良く、扁平形電池用搬送治具２０を構成している本体２１の外周面２６の頂点であるコーナー部２３がＲ形状となるよう構成されている。円筒形状をした中空部２５を備えた本体２１には扁平形電池用搬送治具４で説明したように、極性を異なるように隣接した磁石２２を配置した１段目の吸着部２１ａと２段目の吸着部２１ｂを備えた構成となっている。
【００２５】
また、図４に示すような扁平形電池用搬送治具３０においては、中空部３５を備えた扁平形電池用搬送治具３０の本体３１,３２が上下に分離するよう構成され、図１に示したような磁石を配置した吸着部を上本体３１に備え、下本体３２にも吸着部が備わっている。上本体３１に電池構成部品（図示せず）を収納しながら搬送し、下本体３２にも電池構成部品（図示せず）を収納しながら搬送し、電池構成部品の合体が必要なときに上本体３１と下本体３２を接合して搬送する。なお、本体３１と本体３２の接合は嵌る込む嵌合を示したが、これに限定されない。
【００２６】
ここで、本発明の実施の形態に使用した扁平形電池について図面を参照しながら説明する。扁平形電池にはコイン形一次電池やコイン形二次電池等があるが、ここでは扁平形電池に代表される一つであるコイン形のリチウムイオン二次電池（以下、扁平形二次電池と称する）の全体構成を示した断面図を図７に示す。負極体１０と正極体１３の間にセパレータ１４を介在して積層した電極体５と非水電解液（図示せず）とを収納した上ケース１１と下ケース６との間には絶縁ガスケット１２が介在され、下ケース６の側面を縮径および下ケース６の開口部を内側に折り曲げて封口し、絶縁ガスケット１２を圧縮して気密性の高い扁平形二次電池７が成形される。
【００２７】
扁平形二次電池７は、電極体５を構成しているペレット状の正極体１３とペレット状の負極体１０と正極体１３および負極体１０の間に介在されたセパレータ１４とからなり、正極体１３と負極体１０の間でリチウムイオンを移動させる非水電解液と電極体５とを収納する上ケース１１と上ケース１１の電極体５が収納された空間を密閉する上ケース１１の開口部の周縁部にある絶縁ガスケット１２と上ケース１１に被せられ封口する下ケース６からなる。さらに上ケース１１の開口部の外周面と絶縁ガスケット１２の内周面および下ケース６の開口部の内周面との所定の位置に成膜されているシール膜（図示せず）とを備えて、より高い気密性を発揮している。
【００２８】
正極体１３は、ここでは、リチウム・マンガン酸化合物やリチウム・コバルト酸化合物等を用いるがこれに限定されるものではなく、例えばリチウム複合酸化物、金属硫化物、金属酸化物、金属セレン化合物等の何れか一種以上を混合して用いることも可能である。
【００２９】
また、負極体１０は、負極活物質となる板状の金属リチウムやリチウム合金を打ち抜いてペレット状に成形している。負極体１０は、ペレット状の金属リチウムと、リチウムと
化合可能な金属若しくは化合物を貼り合わせた状態で扁平形二次電池７の内部に収納し、放置しておくことでリチウム合金化したものを負極活物質として用いる。
【００３０】
次に、セパレータ１４は、正極体１３と負極体１０との間に介在して遮断し、両極材の接触による短絡を防止しつつ非水電解液中のリチウムイオンを通過させるものである。このセパレータ１４は、繊維樹脂状により形成された不織布であり、空孔率が１０％〜５０％、厚みが４０μｍ〜２００μｍのものを用いる。ここでは、ポリフェニレンサルファイトを用いるが、これに限定されるものではなく、ポリエチレンテレフタート、ポリイミド、ポリアミド等が上げられ、何れか一種以上を用いることも可能である。非水電解液には、ＥＭＣ、ペンタグライム、テトラグライム等が上げられ、これらのうちの何れか一種以上を用いる。
【００３１】
また、下ケース６は、導電性金属からなる容器であり、正極体１３と接触することで扁平形二次電池７の外部正極となる。具体的には、下ケース６には、ステンレス等からなる金属製の容器を用いるが、これに限定されるものではなく、例えばステンレス、アルミニウム、ニッケル等の金属を複数積層させた状態の金属製の容器等を用いることも可能である。
【００３２】
上ケース１１は、電極体５を収納する導電性金属からなる皿形状をした容器であり、負極体１０と接することで扁平形二次電池７の外部負極となる。上ケース１１には、アルミニウムとステンレスとが貼り合わされたクラッド材等を用い、第１の金属層がアルミニウムとなるように形成する。負極体１０が収納される底面には、ペレット状の金属リチウムを貼り付け、二次電池の組立後にリチウム合金が形成されせる。
【００３３】
また、絶縁ガスケット１２は、円環状に形成されており、下ケース６と上ケース１１とを封口した際に下ケース６と上ケース１１との間に生じる隙間に嵌め込まれるように取り付けられることで上記隙間を封止する。この絶縁ガスケット１２は、ポリフェニレンサルファイト樹脂を用いるが、これに限定されることはなく、ポリエーテルケトン樹脂、ポリエーテルエーテルケトン樹脂、ポリチレンテレフタート樹脂、ポリアリレート樹脂等も用いることができ、何れか一種又は複数種を混合して用いてもよい。
【００３４】
下ケース６の内周側面や絶縁ガスケット１２の内周側面とには、シール膜としてシール剤（図示せず）が塗布されており、下ケース６や上ケース１１と絶縁ガスケット１２との間に生じる微小な隙間に入りこむことにより、扁平形二次電池７の内部空間の密閉性をより高めている。シール剤には具体的には、フッ素系の樹脂を用い、シール剤を調製する溶媒には、上述したフッ素系の樹脂を溶解させるもので、具体的にはシクロヘキサン等を用いる。
【００３５】
上記電池構成部品からなる扁平形二次電池において、まず図５に示すように絶縁ガスケット１２を周縁部に具備した上ケース１１に負極体１０を挿入し、その負極体１０の上にセパレータ１４が載せられ、正極体１３が挿入され積層して電極体５が構成される。電極体５を収納した上ケース１１を図２に示すように、扁平形電池用搬送治具の中空部１５の１段目の吸着部１ａに磁気吸着して保持する。なお、この扁平形電池用搬送治具４内で負極体１０を貼り付けられた周縁部に絶縁ガスケット１２を具備した上ケース１１を保持し、セパレータ１４、正極体１３を挿入し積層して電極体５を構成しても良い。
【００３６】
次に電極体５を収納した上ケース１１に非水電解液を注液し、電極体５に含浸する時間放置する。この含浸時間中に非水電解液が気化して蒸発するのを防ぐため図６に示した下ケース６を図２に示すように、扁平形電池用搬送治具４の中空部１５の２段目の吸着部１ｂに磁気吸着して覆い被せ非水電解液の蒸発を抑制しながら搬送する。含浸が完了した後
に下ケース６を上ケース１１に嵌合させて下ケース６の開口部を内側に折り曲げて封口し、絶縁ガスケット１２を圧縮して気密性の高い扁平形二次電池が成形される。次に以下、本発明の実施例に関わる扁平形二次電池の製造方法について図を参照しながら詳細に説明する。
【実施例１】
【００３７】
図７に示すような外径が４ｍｍ、高さが１．４ｍｍの偏平形二次電池７の電池構成部品である上ケース１１の周縁部に絶縁ガスケット１２を組み付け、リチウム金属からなる負極体１０を上ケース１１の内面底に貼り付けた上ケース１１を図１に示す扁平形電池用搬送治具４の中空部１５にある磁石２を配置した１段目の吸着部１ａに保持した。次にセパレータ１４を負極体１０の上に載せた後、リチウム・コバルト酸化合物からなる正極体１３を挿入に電極体５を構成した。
【００３８】
さらに電極体５を収納した上ケース１１に３ｍｇの非水電解液を注液した後、下ケース６を上ケース１１の上に分離した状態で保持するように２段目の吸着部１ｂに保持して被せ、図２に示すような状態で５分間の含浸を行なった非水電解液と電極体５からなる発電要素を収納した上ケース１１を実施例１とした。
【実施例２】
【００３９】
実施例１と同様な扁平形２次電池を用い、図４に示す扁平形電池用搬送治具３０を本体３１と本体３２に分離した状態にし、周縁部に絶縁ガスケット１２を組み付けた上ケース１１にリチウム金属からなる負極体１０を上ケース１１の内面底に貼り付け、その上ケース１１を本体３２の中空部３５内に保持する。次にセパレータ１４を負極体１０の上に載せた後、リチウム・コバルト酸化合物からなる正極体１３を積載し電極体５を構成した。
【００４０】
また、本体３１の中空部３５内に下ケース６を挿入して保持する。次に電極体５を収納した上ケース１１に３ｍｇの非水電解液を注液した後、下ケース６を収納した本体３１を非水電解液と電極体５からなる発電要素を収納した上ケース１１を保持している本体３２の上に嵌合部を重ね結合して５分間の含浸を行なった上ケース１１を実施例２とした。
【００４１】
（比較例１）
図８に示す電池搬送用治具７１に、実施例１と同様な偏平形２次電池を用い、周縁部に絶縁ガスケット１２を組み付けた上ケース１１にリチウム金属からなる負極体１０を上ケース１１の内面底に貼り付け、その上ケースを電池搬送用治具７１に収納しセパレータ１４を負極体１０の上に載せた後、リチウム・コバルト酸化合物からなる正極体１３を積載し電極体５を構成した。次に電極体５を収納した上ケース１１に３ｍｇの非水電解液を注液した後、５分間の含浸を行なった上ケース１１を比較例１とした。
【００４２】
上記実施例および比較例の同じ非水電解液の含浸時間における非水電解液の蒸発による非水電解液の損失を比較するために、それぞれ１００個の上ケースに実施し下記の評価を行った結果を（表１）に示す。
【００４３】
（表１）に示した非水電解液の減少率は、３ｍｇの非水電解液を注液した直後の上ケースの重量と非水電解液を注液した後に５分間の含浸時間を経過した上ケースの重量を測定し、３ｍｇの非水電解液を注液した直後の上ケースの重量と５分間の含浸時間を経過した上ケースの重量との差を蒸発した非水電解液量とし、その蒸発した非水電解液量を注液した３ｍｇの非水電解液量との比率として表した。
【００４４】
【表１】
2008103097.tif 000003
（表１）より実施例１と実施例２の非水電解液を注液した後、偏平形電池用搬送治具を用いて発電要素を収納した上ケースに下ケースを覆うように被せて含浸した場合の非水電解液の減少率は０.５％以下であった。次いで比較例１の比較例１の電池用搬送治具を用いた場合の非水電解液の減少率は０．５％以上であり、これは実施例の偏平形電池用搬送治具を用いた場合、注液後の上ケースを下ケースで覆ったために、正極体やセパレータに含浸されていない非水電解液の蒸発を抑制できることで、含浸しながら搬送した後に非水電解液量のバラツキを抑制できる。
【００４５】
以上より、本発明の偏平形電池用搬送治具を用い、注液した後の発電要素を収納した上ケースを覆うように下ケースを被せることにより、含浸および含浸しながらの搬送中に生じる非水電解液の蒸発を抑制することが可能となり、かしめ封口後の非水電解液量のバラツキを低減させることが可能となる。
【産業上の利用可能性】
【００４６】
本発明によれば、非磁性体からなる円筒形をした中空部に磁性体からなる電池や電池構成部品を収納して搬送する偏平形電池用搬送治具に具備した中空部の内側面の一横断面上に複数個の磁石を配置した吸着部を少なくとも２段に備えたことにより、１ヶの偏平形電池搬送治具で複数個の電池や電池構成部品を吸着して保持させ搬送することが可能となり、特に注液直後の上ケースを覆うように下ケースを嵌合せずに分離した状態で保持しすることで非水電解液の蒸発を抑制する効果がある。
【図面の簡単な説明】
【００４７】
【図１】本発明の一実施形態における偏平形電池搬送用治具の斜視図
【図２】本発明の発電要素を収納した上ケースと下ケースを保持した偏平形電池搬送用治具の模式断面図
【図３】本発明の別の一実施形態における偏平形電池搬送用治具の斜視図
【図４】本発明の一実施形態における分離型の偏平形電池搬送用治具の斜視図
【図５】本発明の一実施形態における電極体を収納した上ケースの断面図
【図６】同実施例における下ケースの断面図
【図７】同実施例における偏平形二次電池の断面図
【図８】（ａ）従来の電池用搬送治具の縦断面図、（ｂ）同電池用搬送治具の横断面図
【符号の説明】
【００４８】
１  本体
１ａ  １段目の吸着部
１ｂ  ２段目の吸着部
２  磁石
３  本体の中心軸
４  偏平形電池用搬送治具
５  電極体
６  下ケース
７  偏平形二次電池
１０  負極体
１１  上ケース
１２  絶縁ガスケット
１３  正極体
１４  セパレータ
１５  中空部
１６  外周面
１７  磁石の中心軸
１８  面取り部
１９  隔離部
２０  扁平形電池用搬送治具
２１  本体
２１ａ  １段目の吸着部
２１ｂ  ２段目の吸着部
２２  磁石
２３  コーナー部
２５  中空部
２６  外周面
３０  扁平形電池用搬送治具
３１  上本体
３２  下本体
３５  中空部
【図１】
2008103097.tif 000004
【図２】
2008103097.tif 000005
【図３】
2008103097.tif 000006
【図４】
2008103097.tif 000007
【図５】
2008103097.tif 000008
【図６】
2008103097.tif 000009
【図７】
2008103097.tif 000010
【図８】
2008103097.tif 000011